(57)【要約】      （修正有）【課題】切り口を裂いて飲み口とする流動性の飲用物を封入した袋容器の飲み口をシール部材で被覆するようにしたものにおいて、袋容器に複雑な加工を施すことなく、一旦シール部材が剥がされたなら再シールができない機能を持たせた袋容器を提供する。【解決手段】飲み口をシール部材５で被覆された袋容器１は、消費者が使用に際しては袋を保持してつまみ７を引くことによりシール部材５は破断線６に沿って裂けながら袋容器１から剥離する。露わにされた飲み口はシール部材の被覆と殺菌剤が含まれている糊によって流通過程における汚染が防護されている。消費者は切り口３部分から袋を開封し、開口部を飲み口として安全に内容物を飲用することができる。このシール部材５はワンウェイタイプの糊で貼着されているため、一旦剥がされたものは再度貼付けられることはないし、破断線６部分で裂かれているので偽装シールはできない。【選択図】図１
0003154588.tif 000002
【実用新案登録請求の範囲】
【請求項１】
飲み口部をシール部材で被覆するものであって、前記飲み口部は無菌形態が採られ、前記シール部材は合成樹脂素材を含むものとし、剥離用のつまみが備えられワンウェイの接着形態で被覆したことを特徴とする流動性の飲用物を封入した袋容器。
【請求項２】
シール部材は熱収縮フィルムで袋状に形成され、袋容器の端部から飲み口部までを殺菌剤を塗布して被せシュリンクさせて被覆する形態である請求項１に記載の流動性の飲用物を封入した袋容器。
【請求項３】
シール部材は袋容器の端部から飲み口部までを包みこむシート形態で、殺菌剤を含有するワンウェイ形態の糊を介して被覆したものである請求項１に記載の流動性の飲用物を封入した袋容器。
【請求項４】
シール部材は袋容器の端部から飲み口部までを包みこむシート形態で、該シートは擬似接着界面を介して積層された擬似接着基材の裏面側に粘着剤とフィルム層を有する粘着シートを用いて被覆する形態である請求項１に記載の流動性の飲用物を封入した袋容器。
【考案の詳細な説明】
【技術分野】
【０００１】
本考案は、切り口を裂いて飲み口とする流動性の飲用物を封入した袋容器に関する。
【背景技術】
【０００２】
切り口を裂いて飲み口とする流動性の飲用物を封入した袋容器は薬、サプリメント、お菓子などの包装用に広く使用されている。一般に、この種の袋容器は単体ではなく、複数個をまとめて収納したケース、袋詰めといった形態で流通することが多いが、お菓子や高級素材などではばら売り、すなわち単体で扱う場合も少なからずある。このような単体で流通する袋容器は袋の外表面がそのまま飲み口となるため、袋が流通時や店頭において人の手などを介してバイ菌を含む異物が付着すると衛生上の問題を起すことが懸念される。
【０００３】
上記の課題に関して対応した技術としては特許文献１がある。この発明は飲み口部をシートの貼り合わせで形成した容器において、その飲み口部を簡易な方法で覆い、飲み口部をほこりなどから保護することを目的としたもので、そのために構成として図３に示されるように重ね合わせたシート11の辺部をヒートシールしてなる突出した飲み口部12を有し、飲み口部12を間にして該飲み口部12より大寸とした二面の保護片を対向させた状態で重ねてなる柔軟な保護フィルム13が飲み口部12を覆い、保護フィルム13の前記二面の保護片は、飲み口部12を介在させずに直接相対する部分15で剥離可能に貼り合わされて、保護片間に飲み口部12を保持するもの、14は飲み口部12を開く切り口である。この発明は、簡易な構成で飲み口部をほこりなどから保護することができるとともに、開封の際の保護フィルムの取り除きも容易に行なえるものとなるため、シートの貼り合わせよりなる容器本体に合成樹脂成型品などの別成型の注出口具をセットした従来の飲料用容器に代えて、軟質なシートからなる飲料用容器を提供できる。また、別成型の注出口具をセットした従来容器に比べて飲み口部の保護構造が極めて簡単となって、飲み口部を保護した小形液体用容器を製造するに際して、その製造コストを引き下げることができるなど、実用性に優れた効果を奏することがその明細書で謳われている。
上記の発明は、確かに簡易な構成で飲み口部をほこりなどから一応保護することができる効果が認められるのであるが、飲み口部を介在させずに保護フィルム13が直接相対する部分15で剥離可能に貼り合わされて、保護片間に飲み口部を保持するものであるから、容器との接触部分は開放されており完璧な被覆ではない。しかも保護片が飲み口部を両側から挟み単純に貼付けられた構成が採られているため、保護フィルムを剥がした後、再度貼付けらることに無防備となっている。飲料ボトルではキャップには不正開封を防止するためにバンド等のキャップの一部分が破断されて開封が一目瞭然となる所謂タンパーエビデント機構が施されている。切り口を裂いて飲み口とする袋容器についても食の安全上、これと同様に何らかの不正開封、いたずらを防止する機能が求められるべきである。
【０００４】
この他、単体で流通する袋容器の飲み口を流通時や店頭において衛生上の問題を起こさないための技術として、特許文献２や特許文献３が提案されている。特許文献２の「袋」は前後２面の壁面フィルムの周囲の端縁部を袋状にヒートシールしてなる袋において、該袋の前後の壁面フィルムの上部がそれぞれ第１の折り返し部で外側下方に折り返され、適宜の長さの折り返し面を設けた後、再度第２の折り返し部で外側上方に折り返して壁面フィルムの上側端部が、該第１の折り返し部よりも高くなる位置まで延設され、該袋に前記第１の折り返し部と第２の折り返し部により、第１の折り返し部を上端とする内壁が設けられると共に、該袋の開封手段が、前記第２の折り返し部から外側上方に延設された壁面フィルムの第１の折り返し部より下の位置に設けられ、該開封手段で袋を開封した時、該内壁の上部が上方に突出するようにしたことを特徴とする袋である。袋の開封後、内容物を直接開口部に口を付けて飲用、或いは他の容器に移し替えて使用しても、袋の外面の汚染による影響がなく衛生的に使用できるという効果があるが、一般の袋容器と異なり袋の構造が特殊で複雑であり、しかも、不正開封に対する対策はとられていない。
【０００５】
特許文献３の「飲料用容器」は、シート材からなる飲料用容器の口部を衛生的に保つことができるだけでなく、飲用時に余分なゴミの発生や容器本体の破損を抑制し得る飲料用容器の提供、また、開封後に容器が傾倒しても、容器内にある飲料がこぼれにくいような飲料用容器の提供を課題としたもので、飲料を収容する胴部と、該胴部から突出した口部とがシート材で構成されてなる容器本体に、前記口部を覆うための被覆体が備えられてなる飲料用容器であって、該被覆体の一端には容器本体側へ折り返された折り返し部が形成され、該折り返し部が容器本体にシールされたものとする。また、該折り返し部が、容器本体の口部と胴部の間を該容器本体の表裏両面から挟むようにして構成され、さらに、該折り返し部の両端が一体となるように構成されたものとする。この袋容器も構造が複雑である上に、不正開封に対する対策はとられていない。
【先行技術文献】
【特許文献】
【０００６】
【特許文献１】特開２００１−１９２０４４号公報  「飲料用容器」  平成１３年７月１７日公開
【特許文献２】特開２００２−２９３３３７号公報  「袋」  平成１４年１０月９日公開
【特許文献３】特開２００４−２３８００４号公報  「飲料用容器」  平成１６年８月２６日公開
【考案の概要】
【考案が解決しようとする課題】
【０００７】
本考案の課題は、切り口を裂いて飲み口とする流動性の飲用物を封入した袋容器の飲み口をシール部材で被覆するようにしたものにおいて、袋容器に複雑な加工を施すことなく、一旦シール部材が剥がされたなら再シールができない機能を持たせた袋容器を提供することにある。
【課題を解決するための手段】
【０００８】
本考案の流動性の飲用物を封入した袋容器は、飲み口部をシール部材で被覆するものであって、前記飲み口部は無菌形態が採られ、前記シール部材は合成樹脂素材を含むものとし、剥離用のつまみが備えられワンウェイの接着形態で被覆したことを特徴とする。
本考案の流動性の飲用物を封入した袋容器の第１の態様は、シール部材は熱収縮フィルムで袋状に形成され、袋容器の端部から飲み口部までを殺菌剤を塗布して被せシュリンクさせて被覆する形態とした。
本考案の流動性の飲用物を封入した袋容器の第２の態様は、シール部材は袋容器の端部から飲み口部までを包みこむシート形態で、殺菌剤を含有するワンウェイ形態の糊を介して被覆するものとした。
本考案の流動性の飲用物を封入した袋容器の第３の態様は、シール部材は袋容器の端部から飲み口部までを包みこむシート形態で、該シートは擬似接着界面を介して積層された擬似接着基材の裏面側に粘着剤とフィルム層を有する粘着シートを用いて被覆するものとした。
【考案の効果】
【０００９】
本考案の流動性の飲用物を封入した袋容器は、飲み口部をシール部材で被覆するものであって、前記飲み口部には殺菌剤が着けられるなど無菌形態が採られ、前記シール部材は合成樹脂素材を含むものとし、剥離用のつまみが備えられワンウェイの接着形態で被覆したものであるから、袋容器自体には特別な構成が求められることはなく、汎用のものが使用できる。そして、シール部材の被覆が剥がされる際はつまみをもって引き開くだけでよく、剥がされた時点では合成樹脂素材のシール部材はワンウェイの接着形態で被覆したものであるから元の形態に戻すリシールは不可能である。さらに飲み口部には殺菌剤が着けられたり無菌状態が保たれたりしているため、衛生上も優れた安全性が保証される。
【００１０】
また、本考案の流動性の飲用物を封入した袋容器の第１の態様は、シール部材は熱収縮フィルムで袋状に形成され、袋容器の端部から飲み口部までを殺菌剤を塗布して被せシュリンクさせて被覆するものとしたので、被覆工程は単にその部分に袋を被せ、加熱するだけでよく作業効率上も有利である。この熱収縮はシール部材がだぶつかないように被覆整形する機能を果たす。これによって、見栄えのよいシールが実現できる。
本考案の流動性の飲用物を封入した袋容器の第２の態様は、シール部材は袋容器の端部から飲み口部までを包みこむシート形態で、殺菌剤を含有するワンウェイ形態の糊を介して被覆するものとしたので、袋容器の端部から飲み口部までを被せるようにシートを巻き付けるだけの簡単な作業で所望のシール形態を実現することができる。
本考案の流動性の飲用物を封入した袋容器の第３の態様は、シール部材は袋容器の端部から飲み口部までを包みこむシート形態で、該シートは擬似接着界面を介して積層された擬似接着基材の裏面側に粘着剤とフィルム層を有する粘着シートを用いて被覆するものであるから、第２の態様と同様袋容器の端部から飲み口部までを被せるようにシートを巻き付けるだけの簡単な作業で所望のシール形態を実現することができる。しかも、袋容器表面との接着も堅固なのでのりしろをとる必要がない。
【図面の簡単な説明】
【００１１】
【図１】Ａはシール部材として袋容器の端部から飲み口部までを被せる袋形態のものを採用した本考案の流動性の飲用物を封入した袋容器を示す図であり、Ｂは、シール部材として袋容器の端部から飲み口部までを被せるシートを巻き付ける袋形態のものを採用した本考案の流動性の飲用物を封入した袋容器を示す図である。
【図２】Ａは擬似接着界面を介して積層された擬似接着基材の裏面側に粘着剤層を有する粘着シートを示す図であり、Ｂはそれを用いて袋容器の端部から飲み口部までを被せるシートを巻き付ける袋形態のものを採用した本考案の流動性の飲用物を封入した袋容器を示す図である。
【図３】飲み口部を簡易な方法で覆い、飲み口部をほこりなどから保護する従来の提案手法を説明する図である。
【図４】切り口を裂いて飲み口とする流動性の飲用物を封入した現用の三方シール形態の袋容器を説明する図である。
【考案を実施するための形態】
【００１２】
以下、本考案の実施の形態について、詳細に説明する。いま、切り口を裂いて飲み口とする流動性の飲用物を封入した袋容器としては図４に示されるようなシートを三方で熱溶着などによって貼り合わせ、密封形態としたものが広く流通している。中には液体やゼリー状のものが充填されており、切り口を裂いて飲み口とし、飲用される。液体包装容器であることから、防水性が求められ、食材であることから酸化防止のためガスバリアー性を保つ素材が、さらに裂いて飲み口とするため裂きやすい素材が用いられる。一般には合成樹脂製のものが多いが１層に限らず多層膜のフィルムなど、また紙の内側にアルミ等の金属薄膜をコートしたものなどがある。図において１は袋容器であり、２はその３辺が貼付けられたシール部であり、３は切り口、４は飲み口を細めた瓶口である。
【００１３】
本考案は上記のような切り口を裂いて飲み口とする流動性の飲用物を封入した袋容器の飲み口部を、衛生上の安全を確保するため、シール部材で被覆する好ましい形態を提示する。図１のＡに示したものが本考案の被せる形式である袋形態のシール部材である。素材としてはポリエチレン、ポリプロピレン、ポリエステル、ポリスチレンといった合成樹脂フィルムを用いる。ワンウェイタイプの接着形態としては熱収縮性のプラスチックを用いたシュリンクを利用する。混入する殺菌剤としてはキシリトール系を用いる。まず、ステップ１で袋容器１の端部から飲み口部までの領域に殺菌剤を塗布する。ステップ２で袋容器１の端部から飲み口部までを覆うように袋形態のシール材５を被せる。ステップ３で加熱蒸気等で熱を加え、シール材をシュリンクさせる。そうすることによってシール材５が収縮し、袋容器１に袋形態のシール材５が隙間無く接着されきれいな仕上りとすることができる。これだけの工程で作業は終了する。なお、この熱収縮は可撓性の袋容器に変形を起さないような弱い収縮率のものを用いる。
【００１４】
図１のＢに示したものが本考案の糊を用いて包む方式であるシート形態のシール部材である。素材としては上記の実施形態と同じものであるが、シール部材が袋容器の端部から飲み口部までを包みこむシート形態のものである点で、上記の例と相違する。ワンウェイタイプの接着形態としてはワンウェイタイプの糊の素材を用い、混入する殺菌剤は先のものと同様である。袋容器の被覆工程であるが、ステップ１でシート形態のシール材５の裏面に殺菌剤を混入したワンウェイタイプの糊を塗布し、ステップ２で袋容器１の端部から飲み口部までの領域を覆うようにシート形態のシール材５で巻包むように被せる。このとき、少なくともシール材５の長手方向両端部は袋容器１の幅を超えて直接貼り合わさるようにする。それはシール材５と袋容器１の表面を糊で接着した場合、十分な保持力の確保が保証できないため、端辺はシート材同士が貼り合わされる形態が安全だからである。ステップ３で両面から押圧して袋容器１にシート形態のシール材５を貼る付ける。これだけの工程で作業は終了する。
【００１５】
上記のように飲み口をシール部材５で被覆された袋容器１は、消費者が使用に際しては袋を保持してつまみ７を引くことによりシール部材５は破断線６に沿って裂けながら袋容器１から剥離する。露わにされた飲み口はシール部材の被覆と殺菌剤が含まれている糊によって流通過程における汚染が防護されている。消費者は切り口３部分から袋を開封し、開口部を飲み口として安全に内容物を飲用することができる。このシール部材５はワンウェイタイプの糊で貼着されているため、一旦剥がされたものは再度貼付けられることはないし、破断線６部分で裂かれているので偽装リシールはできない。本考案はこのような構成を採用したことによって不正開封の心配もなく食の安全を提供できる。
【００１６】
図２に示す実施の形態は擬似接着界面Ｐを介して積層された擬似接着基材５ａの裏面側に粘着剤層５ｃとフィルム層５ｂを有する粘着シートをシール材５として使用するものである。擬似接着基材５ａの裏面とフィルム層５ｂ間は静電気若しくはバキュームによる疑似接着状態であって、一旦剥がしてしまえば再び貼り付くことのないワンウェイ積層となっている。この粘着シートは原材料としては図２のＡ上段に示されているように台紙８に貼着された形態である。本考案の工程ではこのシールを台紙８から剥がして中段に示すように袋容器１の端部から飲み口部までの領域に貼付ける。そして、開封時には最上層の擬似接着基材５ａが剥がされると、下段に示すように袋容器１の表面には粘着剤層５ｃとフィルム層５ｂが残ることとなる。これは透明であって、人の目には袋容器１の表面がそのまま見え違和感はない。このシールも袋容器１に貼る形態は図２のＢに示されるように包む込む形態で実施されるが、袋容器１表面とシールとの接着が良好であるので図１のＢに示した糊を用いる形態のようにのりしろを付ける必要がない。また、開封までフィルム５ｂが密着されているので殺菌剤を塗布する必要もないというメリットがある。
【実施例】
【００１７】
次に図２に示した第３の実施形態で、ゼリー状のサプリメントを封入した三方シール形態の袋容器における飲み口をシール部材で被覆した実施例を紹介する。容器の素材はポリエチレンとアルミ箔７層からなる積層体であり、熱溶着によって三方をシールした。図４に示したものと同様で、長手方向の一方の端部近傍の辺部に切り口３を施してある。切り口を裂いて飲み口とする流動性の飲用物を封入した袋容器の飲み口部を、図２のＢに示した包み込む形式である擬似接着界面Ｐを介して積層された擬似接着基材５ａの裏面側に粘着剤層５ｃとフィルム層５ｂを有する粘着シートをシール材５として採用した。シール部材の素材として擬似接着基材５ａにはコーティング処理した紙、粘着剤にはアクリル系粘着材をフィルム層５ｂにはポリスチレンフィルムを採用した。ワンウェイタイプの疑似接着形態は静電力によるものとしている。被覆工程は単にシール材を台紙８から剥がして袋容器１の表面に貼付けるだけ。この工程を無菌状態の現場で行うので殺菌剤の塗布などの作業は必要がない。
なお、ここに示した素材は好ましい１実施例として示したもので、これに限定されるものではない。
【産業上の利用可能性】
【００１８】
本考案の飲み口部をカバーで被覆した袋容器は、上記の実施例に示したようなゼリー状のサプリメントに限らず、薬、サプリメント、お菓子など切り口を裂いて飲み口とする液状や顆粒状の流動性の飲用物を封入した袋容器全般に適用できる。
【符号の説明】
【００１９】
１  袋容器                          ２  シール部
３  切り口                          ４  瓶口
５  シール部材                      5a  擬似接着基材
5b  フィルム層                      5c  粘着剤層
６  破断線                          ７  つまみ
８  台紙
【図１】
0003154588.tif 000003
【図２】
0003154588.tif 000004
【図３】
0003154588.tif 000005
【図４】
0003154588.tif 000006